(57)【要約】      （修正有）【課題】落下物を容易に回収することができるキャビネット及びそれに使用される引出を提供する。【解決手段】キャビネットは、前方が開放されたキャビネット本体と、上方が開口する箱状の形状を有し、前後に摺動可能であり、キャビネット本体に収容される引出３とを備え、引出３がその開方向に関して後方側に開閉可能な扉４を有する。扉４は、引出３を構成する背面板１１、底面板１４又は側面板のいずれかに設けられている。扉４は、２枚の板材を含んでなり、それらの板材は観音開き式に建て付けられている。【選択図】図２
0003217635.tif 000002
【実用新案登録請求の範囲】
【請求項１】
前方が開放されたキャビネット本体と、
上方が開口する箱状の形状を有し、前後に摺動可能であり、上記キャビネット本体に収容される引出と、を備え、
上記引出がその開方向に関して後方側に開閉可能な扉を有するキャビネット。
【請求項２】
上記扉は、上記引出を構成する背面板、底面板又は側面板のいずれかに設けられている請求項１に記載のキャビネット。
【請求項３】
上記扉は、２枚の板材を含んでなり、それらの板材は観音開き式に建て付けられている請求項１又は請求項２に記載のキャビネット。
【請求項４】
上記扉は、１枚の板材を含んでなり、上記板材は一方端が軸着され他方端が円弧状に移動するように建て付けられている請求項１又は請求項２に記載のキャビネット。
【請求項５】
上記扉は、閉状態となるように付勢されている請求項１〜請求項４のいずれか１項に記載のキャビネット。
【請求項６】
開方向に関して後方側に開閉可能な扉を有する引出。
【考案の詳細な説明】
【技術分野】
【０００１】
本考案は、キャビネット及び当該キャビネットに使用される引出に関する。
【背景技術】
【０００２】
近年、引出自体がスライドから脱落することを防止するため、そのスライドに引出脱落防止用ストッパーが取り付けられている（特開２０００−３４２３６５号公報参照）。
【先行技術文献】
【特許文献】
【０００３】
【特許文献１】特開２０００−３４２３６５号公報
【考案の概要】
【考案が解決しようとする課題】
【０００４】
しかしながら、上記スライドにそのようなストッパーが取り付けられることで、引出の取り外しが困難となり、そのため、引出から落下した落下物の回収も困難となっている。
【０００５】
本考案は、上記事情に鑑みてなされたものであり、落下物を容易に回収することができるキャビネット及びそれに使用される引出を提供することを目的とする。
【課題を解決するための手段】
【０００６】
上記課題を解決するためになされた本考案の一態様に係るキャビネットは、前方が開放されたキャビネット本体と、上方が開口する箱状の形状を有し、前後に摺動可能であり、上記キャビネット本体に収容される引出と、を備え、上記引出がその開方向に関して後方側に開閉可能な扉を有することを特徴とする。ここで、開方向に関して後方側とは、引出の摺動方向長さの中間点を含む面から奥側の領域を意味する。
【０００７】
当該キャビネットは、上記引出がその開方向に関して後方側に開閉可能な扉を有するため、当該扉から手や把持手段を挿入することができ、それによって落下物を容易に回収することができる。
【０００８】
上記扉は、上記引出を構成する背面板、底面板又は側面板のいずれかに設けられているとよい。上記扉を背面板、底面板又は側面板のいずれかに設けることで、落下物の回収を容易に行うことができる。
【０００９】
上記扉は、２枚の板材を含んでなり、それらの板材は観音開き式に建て付けられているとよい。このように、上記扉が２枚の板材を含み、これらの板材が観音開き式に建て付けられる構成とすることで、手や把持手段を挿入しやすくなり、落下物の回収をより容易に行うことができる。
【００１０】
上記扉は、１枚の板材を含んでなり、上記板材は一方端が軸着され他方端が円弧状に移動するように建て付けられているとよい。このように、上記扉が、１枚の板材を含み、上記板材が一方端が軸着され他方端が円弧状に移動するように建て付けられる構成とすることで、より簡易に落下物の回収を行うことができる。
【００１１】
上記扉は、閉状態となるように付勢されているとよい。このように、上記扉をこれが閉状態になるように付勢することで、引出に収納されている物の落下を抑制することができる。
【００１２】
また、上記課題を解決するためになされた本考案の一態様に係る引出は、開方向に関して後方側に開閉可能な扉を有することを特徴とする。当該引出はその開方向に関して後方側に開閉可能な扉を有するため、当該扉から手や把持手段を挿入することができ、そのためこれをキャビネットに使用した場合落下物を容易に回収することができる。
【考案の効果】
【００１３】
本考案によれば、落下物を容易に回収することができるキャビネット及びそれに使用される引出を提供することができる。
【図面の簡単な説明】
【００１４】
【図１】図１は、本考案の第一実施形態に係るキャビネットの概略側面図である。
【図２】図２は、図１のキャビネットに使用される引出の概略斜視図である。
【図３】図３は、図２の引出の側面図である。
【図４】図４は、図２の引出の平面図である。
【図５】図５は、別の態様に係る引出の概略斜視図である。
【図６】図６は、本考案の第二実施形態に係る引出の概略斜視図である。
【図７】図７は、本考案の第三実施形態に係る引出の概略斜視図である。
【図８】図８は、図７の引出の側面図である。
【図９】図９は、図７の引出の平面図である。
【考案を実施するための形態】
【００１５】
以下、図面に基づいて、本考案の実施の形態を詳細に説明する。本実施の形態は、本考案の理解を容易にするためのものであって、本考案を限定するものではない。以下の説明では、必要に応じて特定の方向や位置を示す用語（例えば、「上」、「下」を含む用語）を用いるが、その用語の使用は図面を参照した考案の理解を容易にするためであって、それらの用語の意味によって本考案の技術的範囲は限定されない。
【００１６】
＜第一実施形態＞
図１は、本考案の第一実施形態に係るキャビネットの概略側面図であり、図２は、そのキャビネットに使用される引出の概略斜視図、図３はその側面図、図４はその平面図である。第一実施形態に係るキャビネット１は、前方が開放されたキャビネット本体２と、キャビネット本体２に収容される引出３と、を備える。引出３は、上方が開口した箱状の形状を有し、前後に摺動可能であり、引出３がその開方向に関して後方側に開閉可能な扉４を有する。当該キャビネット１は、引出３がその開方向に関して後方側に開閉可能な扉４を有することで、この扉４から手や把持手段を挿入することができ、それによって引出３から後方に落下した落下物５を容易に回収することができる。以下、引出及びキャビネットの各構成要素について詳細に説明する。
【００１７】
（引出）
図２の引出３は、正面板１０、背面板１１、右側面板１２、左側面板１３、底面板１４から構成され、これらが組み合わされることで上方が開口した箱型の形状となっている。背面板１１は、その下端が底面板１４に対して軸着され、その上端が正面側に倒れるように構成されている。このように背面板１１の下端が底面板１４の後端に軸着され背面板１１の上端が正面側に倒れるよう構成することで、背面板１１があった箇所から手や把持手段（不図示）を挿入することができ、引出３から後方に落下した落下物を容易に回収することができる。図２に示すように、背面板１１と底面板１４とは蝶番等の接続部材１５により接続されている。背面板１１と底面板１４とを接続する接続部材１５としては、蝶番に限られず、背面板１１を底面板１４に対して回動させることができる限り如何なるものを使用することができる。この接続部材１５は、金属又は合金から構成されるとよい。接続部材１５を金属又は合金により構成することで繰り返し動作にも耐えうる強度を得ることができる。接続部材１５は、一定の強度を得ることができる限り、金属又は合金に限らず、プラスティック、紙類であってもよい。
【００１８】
背面板１１は元の位置に戻るようにバネ等により付勢されているとよい。このように背面板１１を元の位置に戻るように付勢することで、引出に収容されている内容物の落下を抑制することができる。付勢手段としては、螺旋状バネ、板バネ等が挙げられ、好ましくは、螺旋状バネである。付勢手段として、螺旋状バネを用いることで、背面板１１を簡易な構成で付勢することができる。螺旋状バネは、その一端が背面板１１の上端に、他端が後述するストッパー２０の上端に接続されるように設けられるとよい。このように螺旋状バネを設けることで、簡易な構成で背面板１１を素早く元の位置に戻すことができる。
【００１９】
図５は、アクチュエーター手段を用いて背面板を動作させることができるよう構成された引出の概略斜視図である。図５に示すように、背面板１１は、アクチュエーター手段３０を作動させることで、元の位置に戻るよう構成されている。具体的には、アクチュエーター手段３０は、取手１９の奥側に取手１９と略平行に設けられた把持手段と、この把持手段と背面板１１とを接続するワイヤーとから構成されている。上述のストッパー２０に滑車が設けられ、この滑車よってワイヤーが折り返されている。取手１９を手で握ることで把持手段が正面側に移動し、この把持手段に接続されたワイヤーが背面板１１を後面側へ引き起こす。このように構成することで、より簡単に引出を初期状態に戻すことができる。
【００２０】
図２に示す引出３は、背面板１１の後方にその背面板１１がそれより後方側に移動しないよう設けられたストッパー２０を備える。このように背面板１１の後ろに上述のようなストッパー２０を設けることで、背面板１１が後方側に倒れることを抑制することができる。このストッパー２０は、右側面板１２及び左側面板１３の奥側端部に取り付けられている。図２の引出３の右側面板１２と左側面板１３との間にはスペースが設けられている。このように右側面板１２と左側面板１３との間にスペースを設けることで、落下物の回収を容易にすることができる。
【００２１】
図４に示すように、背面板１１は正面側への移動を制限する固定金具１６を備え、左側面板１３は固定金具１６を受ける穴部１７を備える。固定金具１６は、左側面板１３の主面に対して略垂直方向で且つ背面板１１の主面に対して略平行な方向に移動可能である。この固定金具１６を左側へ摺動させ穴部１７に固定金具１６の先端を挿入することで、背面板１１の左側面板１３に対する移動を抑制することができる。
【００２２】
右側面板１２及び左側面板１３の外側に摺動用のレール２１が設けられ、キャビネット１の内壁に、それらのレール２１を受ける部材２２が設けられている。レール２１をこの部材２２に対して摺動させることで、引出３をキャビネット１から出し入れすることが可能である。
【００２３】
当該引出３は、その開方向に関して後方側に開閉可能な扉４を有するため、扉４から手や把持手段を挿入することができ、それによって引出３から後方に落下した落下物を容易に回収することができる。
【００２４】
＜第二実施形態＞
図６は、本考案の第二実施形態に係る引出の概略斜視図である。第一実施形態では、背面板１１が開閉可能な扉４を担っていたのに対して、第二実施形態では、図６に示すように、底面板１４の後端側に開閉可能な扉４が設けられている点で、第二実施形態に係る引出３は第一実施形態のものと異なる。このように底面板１４の後端側に開閉可能な扉４を設けることで、手や把持手段の挿入容易性が向上し、落下物をより容易に回収することができる。その他の構成については、第一実施形態と同様のため、詳細な説明は省略する。
【００２５】
図６に示すように、開閉可能な扉４は、その前方端が底面板１４の後方端に回動可能に取り付けられ開閉可能な扉４の後方端が下方に移動するように設けられている。このように開閉可能な扉４を設けることで、手や把持手段の挿入容易性が向上し、落下物をより容易に回収できるとともに、製造容易性を向上させることができる。開閉可能な扉４の後方端は背面板１１の下端と接するとよい。このように開閉可能な扉４を配置することで、引出３に収納されたものが背面板１１と開閉可能な扉４との隙間から落下することを抑制することができる。
【００２６】
付勢手段として螺旋状バネを使用する場合、その一端が背面板１１（好ましくはその上端付近）に、他端が開閉可能な扉４の後端付近に接続されるとよい。このように螺旋状バネを設けることで、開閉可能な扉４を閉じた状態に保持することができ、バネの付勢力に対抗してこの開閉可能な扉４を下方に案内することで、落下物を回収することができる。
【００２７】
当該引出３は、底面板１４に開閉可能な扉４が設けられているため、手や把持手段が落下物にアクセスしやすく、落下物をより容易に回収することができる。
【００２８】
＜第三実施形態＞
図７は、本考案の第三実施形態に係る引出の概略斜視図であり、図８は、その側面図、図９は、その平面図である。第一実施形態では、開閉可能な扉４を構成する一枚の板がその下端が軸着されその上端が回動するように開閉するのに対して、第三実施形態では、図７に示すように、開閉可能な扉４を構成する２枚の板が観音開き式に開閉する点で、第三実施形態に係る引出３は第一実施形態のものと異なる。その他の構成については、第一実施形態と同様のため、詳細な説明は省略する。
【００２９】
図７に示すように、開閉可能な扉４は、２枚の板から構成され、一方の板が左側面板１３に、他方の板が右側面板１２に回動可能に取り付けられている。これらの板は正面側にだけ開くように接続部材１５が設けられている。このようにこれらの板が正面側にだけ開くよう接続部材１５を設けることで、引出に収容されている内容物の落下を抑制することができる。
【００３０】
付勢手段として、螺旋状バネを使用する場合、螺旋状バネを２本用い、そのうち一方（第１の螺旋状バネ）が、第１の板に、もう一方（第２の螺旋状バネ）が第２の板に使用される。第１の螺旋状バネの一端が背面板１１を構成する第１の板の中心側に、他端が底面板１４の後端付近に接続されるとよい。第２の螺旋状バネも同様に設ける。このように螺旋状バネを設けることで、開閉可能な扉４を閉じた状態に保持することができ、バネの付勢力に対抗してこの開閉可能な扉４を前方に案内することで、２枚の板が開き、落下物を回収することができる。
【００３１】
当該引出３は、開閉可能な扉４が観音開き式に開閉するため、手や把持手段を挿入しやすく、より容易に落下物を回収することができる。
【符号の説明】
【００３２】
１  キャビネット
２  キャビネット本体
３  引出
４  開閉可能な扉
５  落下物
１０  正面板
１１  背面板
１２  右側面板
１３  左側面板
１４  底面板
１５  接続部材
１６  固定金具
１７  穴部
【図１】
0003217635.tif 000003
【図２】
0003217635.tif 000004
【図３】
0003217635.tif 000005
【図４】
0003217635.tif 000006
【図５】
0003217635.tif 000007
【図６】
0003217635.tif 000008
【図７】
0003217635.tif 000009
【図８】
0003217635.tif 000010
【図９】
0003217635.tif 000011